(57)【特許請求の範囲】
【請求項１】
前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、
前記内扉は、一周縁部を軸として前後に回動自在に開閉し、軸とは反対側の周縁部を内角が鈍角となるように後方に折り曲げた板状部材からなる
ことを特徴とする自動販売機。
【請求項２】
前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、
前記内扉は、一周縁部を軸として前後に回動自在に開閉し、軸とは反対側の周縁部を後方に折り曲げた板状部材からなり、
該折り曲げ部分に、商品の前後方向の移動を案内する案内手段を設けた
ことを特徴とする自動販売機。
【請求項３】
前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、
内扉の開閉動作中に商品収納室の前側から商品搬送手段を操作できるように内扉に切り欠きを設けた
ことを特徴とする自動販売機。
【発明の詳細な説明】
【０００１】
【発明の属する技術分野】
本発明は、内扉によって前後に仕切られた収納部を有し、前側収納部の商品を販売した後、後側収納部の商品を前側収納部に搬送しこれを販売する自動販売機に関するもので、特に、内扉の構造に関するものである。
【０００２】
【従来の技術】
従来、この種の自動販売機として出願人は既に特願平８ー５４９２０号にかかる出願を提案している。
【０００３】
この自動販売機は、個別に区画された商品収納室を上下複数段に多数配置し、この商品収納室に収納された商品を個別に販売する構造となっている。また、この商品収納室は内扉によって前後に仕切られた互いに連通する２つの収納部を有している。さらに、商品収納室内には、商品を載置する商品載置手段を備えた商品搬送手段が設けられており、商品載置手段に載置した商品を商品収納室の前後に移動可能としている。
【０００４】
内扉は、商品収納室内を前後に仕切る板状部材からなり、前後に回動自在に上縁部を軸支されている。また、この回転軸にはねじりコイルバネが巻回され、この内扉を開方向に付勢しており、この内扉の開方向への回転を規制するソレノイドを備えている。
【０００５】
また、商品搬送手段は、商品載置手段である商品トレーと、その後方に設けられたコイルバネからなり、後側収納部に待機中は商品載置手段は前方に力が付勢されている。後側収納部に商品載置手段を待機させるときは、内扉を閉鎖することにより前方への移動を規制している。
【０００６】
この自動販売機により商品を販売するときは、まず、第１の商品を商品載置手段に載置し後側収納部に待機させるとともに内扉を閉鎖し、さらに、前側収納部に第２の商品を収納する。そして、前側収納部の第２の商品を販売した後に、内扉を開放するとともに商品載置手段を前方に移動して第１の商品を商品収納室の前方に搬送させ、この第１の商品を次回に販売する。
【０００７】
【発明が解決しようとする課題】
しかしながら、従来の自動販売機では、内扉として単なる板状部材とした場合には強度に不足するため、多数の開閉動作により変形等することがあるだけでなく、イタズラによって変形・こじ開けされて商品が盗難されるおそれがあるという難点があった。
【０００８】
この難点を解決するために、内扉の下縁部を直角に折り曲げてフランジを形成することにより、強度不足を解消するという手段が考えられる。しかしながら、この場合には、商品が商品搬送手段により前方に搬送される際に、この商品が回動動作する内扉のフランジ部に引っ掛かり、前方に搬送されないという不具合（搬出不良）が発生することがあるため、この手段では前記難点を解決することはできなかった。
【０００９】
また、この自動販売機は、商品を収納するためには、まず、前方に移動されている商品載置手段上に商品を載置し、これを片手で後側収納部に押し込む。次に、商品載置手段を後側収納部に押し込んだまま、同時に、もう片方の手で内扉を閉鎖させるという作業を行う必要がある。
【００１０】
しかしながら、一般的に、商品収納室内はさほど広くないため、２本の手を入れてこの作業を行うのは非常に困難であるという難点があった。また、この作業を片手のみで行うのも困難であり、特に、商品載置手段を後方に押し込んでいる手指が閉鎖する内扉に挟まり利便性が悪いという難点があった。
【００１１】
本発明は、上記事情に鑑みてなされたものであり、その目的とするところは、商品搬送がスムーズに行われるとともに信頼性・盗難防止効果が高く、さらに、商品収納時の操作性に優れた利便性の高い自動販売機を提供することにある。
【００１２】
【課題を解決するための手段】
上記目的を達成するために、請求項１の発明は、前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、前記内扉は、一周縁部を軸として前後に回動自在に開閉し、軸とは反対側の周縁部を内角が鈍角となるように後方に折り曲げた板状部材からなることを特徴とする。
【００１３】
この発明によれば、内扉の一周縁部が折り曲げられているので内扉の強度が向上する。また、折り曲げ方向が商品収納室の後方であり、さらに、その内角が鈍角であるので、内扉が開状態或いは開動作中に後方から前方に搬送される商品が内扉裏面にぶつかっても、この折り曲げ部に引っ掛かることなくスムーズに前方に商品が搬送される。
【００１４】
また、請求項２の発明は、前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、前記内扉は、一周縁部を軸として前後に回動自在に開閉し、軸とは反対側の周縁部を後方に折り曲げた板状部材からなり、該折り曲げ部分に、商品の前後方向の移動を案内する案内手段を設けたことを特徴とする。
【００１５】
この発明によれば、内扉の一周縁部が折り曲げられており、さらに、折り曲げ部に案内部材が設けられているで内扉の強度が向上する。また、折り曲げ部に案内手段が設けられているので、内扉が開状態或いは開動作中に後方から前方に搬送される商品が内扉裏面にぶつかっても、この折り曲げ部に引っ掛かることなくスムーズに前方に商品が搬送される。
【００１６】
さらに、請求項３の発明は、前面を開口した複数の商品収納室と、各商品収納室の前面開口部に設置した小扉と、商品収納室を前後に仕切って２つの収納部を形成する内扉と、内扉開放時に商品収納室内を前後に移動して商品を搬送する商品搬送手段を備えた自動販売機において、内扉の開閉動作中に商品収納室の前側から商品搬送手段を操作できるように内扉に切り欠きを設けたことを特徴とする。
【００１７】
この発明によれば、内扉に切り欠きが設けてあるので、内扉の開閉動作を行っても手指が挟まれることなく商品搬送手段の操作ができる。
【００１８】
【発明の実施の形態】
本発明の一実施の形態にかかる自動販売機について図１乃至図４を参照して説明する。図１は自動販売機の正面図、図２は自動販売機の断面図、図３は商品収納室の斜視図、図４は内扉の斜視図である。
【００１９】
この自動販売機は、縦長の断熱箱にて構成された自動販売機本体１内に前面開口の内箱２を設け、この自動販売機本体１の前面開口を外扉３にて開閉自在としたものである。この自動販売機本体１と内箱２との間には通風ダクト４を形成しており、送風機５にて蒸発器６で冷却された空気を通風ダクト４に循環し（図２の一点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設けている。また、この各商品収納室８は、互いに隣接する商品収納室８間で冷気が流通するよう縦横に多数のワイヤ８ａを組み込んで形成している。
【００２０】
なお、自動販売機の前面にはコイン投入口１０、紙幣投入口１１、返却レバー１２、返却口１３、投入金額等を表示するセグメント表示器１４等が設置されている。
【００２１】
この商品収納室８は前後に仕切る仕切り扉機構８１を有し、この仕切り扉機構８１により前後に商品Ａを収納する収納部８２ａ，８２ｂを形成している。また、この仕切り扉機構８１は略門型の支持フレーム８１１に軸支された内扉８１２を有し、この内扉８１２を上下に回動することにより後側収納部８２ｂを開放・閉鎖するようになっている。また、この回転軸８１３にはねじりコイルバネ８１４が巻回され、この内扉８１２を開方向に付勢している。他方、この内扉８１２の開方向への回転を規制するものとしてソレノイド８１５を有し、また、このソレノイド８１５の駆動状態を検知する内扉開閉検知器（本実施の形態ではマイクロスイッチ）８１６を有している。
【００２２】
この内扉８１２は、図４に示すように、略矩形の平板状部材からなり商品収納室８の高さ及び幅より僅かに小さく設けている。内扉の裏面の左右一方の端には、前述したソレノイド８１５と係合する孔を備えた係止板８１２ａが立設している。また、この内扉８１２の下端は、内扉８１２の強度を向上させるために、後側収納部８２ｂ方向に折り曲げて内扉フランジ８１２ｂを形成している。さらに、この内扉８１２の下端には、内扉８１２の裏面から内扉フランジ８１２ｂの縁部に亘って案内部材８１２ｃが付設されている。この案内部材８１２ｃは、平板状部材からなり、案内部材本体８１２ｃ１と長手方向端部の片側に付設した一対の案内片８１２ｃ２からなる。この案内片８１２ｃ２は、案内部材本体８１２ｃ１との内角が鈍角（本実施の形態では１３５°）となるように折り曲げて形成した板状部材であり、その端部が内扉フランジ８１２ｂの縁部に係合するように付設されている。さらに、この内扉８１２の下部中央付近には、親指１本が入る程度の高さを有する切り欠き８１２ｄが設けてあり、内扉８１２を閉鎖又は閉動作中であっても切り欠き８１２ｄより手指を挿入することができる。
【００２３】
ソレノイド８１５はそのプランジャに先端に引っ掛け爪を有する引っ掛け片８１５ａと略Ｌ字状の作動片８１５ｂが取り付けられている。この引っ掛け片８１５ａは内扉８１２の裏面に突出した係止板８１２ａに対向しており、ソレノイド８１５のプランジャの先端が下位にあるときは、引っ掛け片８１５ａが係止板８１２ａの孔に係止して内扉８１２を閉鎖状態に維持し、逆に、上位にあるときは引っ掛け片８１５ａが係止板８１２ａの孔から外れ、内扉８１２を開放できるようになっている。一方、作動片８１５ｂはその先端が開閉検知器８１６に対向しており、プランジャの先端が下位にあるときは開閉検知器８１６はソレノイド８１５の駆動を検知せず、逆に、上位にあるときはソレノイド８１５の駆動を検知するようになっている。
【００２４】
このように仕切り扉機構８１により２分割された商品収納室８には商品Ａを載置しかつ移動する搬送装置８３が設けられている。この搬送装置８３は商品載置手段８３１とコイルバネ８３２とから構成されている。
【００２５】
この商品載置手段８３１は皿状の商品トレー８３１ａを有し、この商品トレー８３１ａ上に商品Ａを載置するようになっている。また、この商品トレー８３１ａの両側を商品収納室８の両側下部に配置された棒状の案内レール８３１ｂに載せる一方、この商品トレー８３１ａの中央には連結筒８３１ｃを嵌め込み、さらには、この連結筒８３１ｃを商品収納室８の前後に亘って配置された軌道ワイヤ８３１ｄに貫通させている。これにより、商品トレー８３１ａを前後の各収納部８２ａ，８２ｂに亘って摺動自在にしている。なお、案内レール８３１ｂ及び軌道ワイヤ８３１ｄは商品収納室８の前後に配置された支持板（図示省略）に連結固定されている。
【００２６】
前記コイルバネ８３２は連結筒８３１ｃと商品収納室８の後側の支持板との間に配置されたもので、その内部に軌道ワイヤ８３１ｄを貫通させ、商品トレー８３１ａを前方に付勢するようになっている。
【００２７】
次に、この商品収納室８における内扉８１２や商品トレー８３１ａ等の動作について図５及び図６を参照して説明する。図５は内扉を閉鎖した際の商品収納室の側面断面図、図６は内扉を開放した際の商品収納室の側面断面図である。
【００２８】
図５に示すように、商品トレー８３１ａが商品Ａを載置して後側収納部８２ｂに待機しているときは、商品トレー８３１ａは圧縮されたコイルバネ８３２により前方に押圧されているが、内扉８１２により前方への移動が規制されている。一方、内扉８１２は、ねじりコイルバネ８１４によって開方向への力が付勢されているが、ソレノイド８１５に連結した引っ掛け片８１５ａが支持板８１２ａを係止して閉鎖状態が維持されている。
【００２９】
図６に示すように、ソレノイド８１５を通電して引っ掛け片８１５ａが上方に移動すると、ねじりコイルバネ８１４により内扉８１２が回動する。これと同時に、内扉８１２により前方を規制されていた商品トレー８３１ａがコイルバネ８３２により商品Ａとともに前方に移動する。この時、内扉８１２の回動動作と商品トレー８３１ａの移動動作は同時に行われるため、商品Ａに形状によっては移動中に上端が内扉８１２の裏面に衝突する場合がある。しかしながら、この場合であっても内扉８１２の裏面には案内部材８１２ｃが付設されているので、内扉フランジ８１２ｂに引っ掛かることなくスムーズに前方に搬送される。
【００３０】
次に、この自動販売機の後側収集部に商品Ａを収納する方法について図７及び図８を参照して説明する。ここで、図７及び図８は、商品収納室の側面断面図である。
【００３１】
まず、前進している商品トレー８３１ａの上に商品Ａを載置し、商品トレー８３１ａの前面中央付近を手Ｈの親指先で後方に押し込んでゆく（図７）。これと同時に、他の指先で開状態となって商品収納室８の上方にある内扉８１２を操作して内扉８１２を閉鎖させはじめ、そのまま、さらに商品トレー８３１ａを押し込みつつ内扉８１２の閉鎖を完了させる。この時、商品トレー８３１ａを押している手Ｈの親指が内扉８１２の切り欠き８１２ｄ内にあるため、内扉８１２に挟まれることなく後側収納部８２ｂに商品Ａを収納することができる（図８）。
【００３２】
この自動販売機によれば、内扉８１２の下端を折り曲げて内扉フランジ８１２ｂを形成しており、また、案内部材８１２ｃが設けられているで内扉８１２の強度が向上する。また、案内部材８１２ｃが設けられているので、内扉８１２が開状態或いは開動作中に後方から前方に搬送される商品Ａが内扉８１２の裏面にぶつかっても、この内扉フランジ８１２ｂに引っ掛かることなくスムーズに前方に搬送される。従って、耐久性・信頼性が高いものとなるとともに、イタズラによる変形・こじ開け等を防止できるので、盗難防止効果も高いものとなる。また、商品Ａが内扉８１２に引っ掛かることなくスムーズに前方に搬送されて常に商品収納室８内の所定位置にあることにより自動販売機のショーケース効果が高いものとなる。さらに、内扉８１２に切り欠きが設けてあるので、内扉８１２の開閉動作を行っても手指が挟まれることなく商品トレー８３１ａを後方に押し込むことができる。従って、商品収納時の操作性に優れた利便性の高いものとなるため、作業時間の短縮され、作業効率を向上させることができる。
【００３３】
なお、本実施の形態では、内扉８１２の下端を後方９０°に折り曲げて内扉フランジ８１２ｂを形成するとともに、案内部材８１２ｃを付設することにより、内扉８１２の補強及び商品Ａのスムーズな搬送を行っているが、図９に示すように、内扉８１２の下端を後方斜めに折り曲げても良い。ここで、内扉８１２と内扉フランジ８１２ｂとの角度Ｒが鈍角（例えば１３５°）となるようにすることにより、商品Ａをスムーズに搬送することができる。
【００３４】
また、図１０に示すように、内扉８１２の下端を後方９０°に折り曲げて内扉フランジ８１２ｂを形成するとともに、この折り曲げ部分に一対のリブ８１２ｅを設けても良い。ここで、このリブ８１２ｅは、内扉８１２から内扉リブ８１２ｂに亘って傾斜が生じるように、内扉８１２の前面側からプレスして形成したものである。
【００３５】
【発明の効果】
以上詳述したように、本発明の自動販売機によれば、内扉の一周縁部が折り曲げられことにより強度が向上するため、耐久性・信頼性が高いものとなる。また、イタズラによる変形・こじ開け等を防止できるので、盗難防止効果も高いものとなる。さらに、商品が内扉に引っ掛かることなくスムーズに前方に搬送されて常に所定位置にあることにより、自動販売機のショーケース効果が高いものとなる。さらにまた、内扉に切り欠きが設けてあるので、内扉の開閉動作を行っても手指が挟まれることなく商品搬送手段を操作することができる。従って、商品収納時の操作性に優れた利便性の高いものとなるため、作業時間が短縮され、作業効率を向上させることができる。
【図面の簡単な説明】
【図１】自動販売機の正面図
【図２】自動販売機の断面図
【図３】商品収納室の斜視図
【図４】内扉の斜視図
【図５】内扉を閉鎖した際の商品収納室の側面断面図
【図６】内扉を開放した際の商品収納室の側面断面図
【図７】商品収納の方法を説明する商品収納室の側面断面図
【図８】商品収納の方法を説明する商品収納室の側面断面図
【図９】他の実施例にかかる内扉の斜視図
【図１０】他の実施例にかかる内扉の斜視図
【符号の説明】
１…自動販売機本体、２…内箱、８…商品収納室、９…小扉、８１２…内扉、８１２ｂ…内扉フランジ、８１２ｃ…案内部材、８１２ｄ…切り欠き、８１４…ねじりコイルバネ、８２ａ，８２ｂ…収納部、８３１ａ…商品トレー、８３２…コイルバネ。
【図１】
0003929126.tif 000002
【図２】
0003929126.tif 000003
【図３】
0003929126.tif 000004
【図４】
0003929126.tif 000005
【図５】
0003929126.tif 000006
【図６】
0003929126.tif 000007
【図７】
0003929126.tif 000008
【図８】
0003929126.tif 000009
【図９】
0003929126.tif 000010
【図１０】
0003929126.tif 000011